(57)【要約】【課題】  キーボード装置の手前側の領域を各種入力領域として効率よく使用できるようにした入力処理装置を提供する。【解決手段】  キーボード装置４の手前側に、幅寸法の広い平面型入力部材３０が設けられている。平面型入力部材３０が設けられた検知領域３１に、座標入力領域３２や釦入力領域３３ならびにスライド入力領域３４を、その大きさや形状を変更して設定することができる。また、これら入力領域の位置を変えることもできる。さらに、平面型入力部材３０の下に操作表示装置が設けられており、座標入力領域３２や釦入力領域３３ならびにスライド入力領域３４を表示することができる。【選択図】図２
2010257198.tif 000002
【特許請求の範囲】
【請求項１】
複数の入力キーが配列するキーボード装置と、前記キーボード装置よりも手前側に設けられた平面型入力部材とが設けられた入力処理装置において、
前記平面型入力部材は、その一部が指で操作して座標データを入力する座標入力領域として使用され、他の部分が前記座標データ以外の入力を行う他の入力領域として使用されることを特徴とする入力処理装置。
【請求項２】
前記平面型入力部材の幅寸法は、前記キーボード装置の幅寸法以上である請求項１記載の入力処理装置。
【請求項３】
前記他の入力領域は、指の接触でＯＮ−ＯＦＦを入力するスイッチ入力領域である請求項１または２記載の入力処理装置。
【請求項４】
前記他の入力領域は、指の接触時間に対応した信号を継続して入力する入力領域である請求項１または２記載の入力処理装置。
【請求項５】
前記他の入力領域は、指の移動を検知して、指の移動に対応する信号を入力するスライド入力領域である請求項１または２記載の入力処理装置。
【請求項６】
前記他の入力領域の形状と大きさならびに位置の設定の変更が可能である請求項１ないし５のいずれかに記載の入力処理装置。
【請求項７】
前記他の入力領域で入力する操作信号の種別の設定と変更とが可能である請求項１ないし６のいずれかに記載の入力処理装置。
【請求項８】
複数の入力キーが配列するキーボード装置と、前記キーボード装置よりも手前側に設けられた平面型入力部材とが設けられた入力処理装置において、
前記平面型入力部材は、その一部が指で操作して座標データを入力する座標入力領域として使用され、前記平面型入力部材の検知領域内で、前記座標入力領域の位置を変えることが可能であることを特徴とする入力処理装置。
【請求項９】
前記平面型入力部材は、１本の指が触れたか複数本の指が触れたかの識別が可能であり、前記座標入力領域に１本の指が触れていると判定したときは、その指の移動に応じた座標データが生成され、前記座標入力領域の内部またはその近傍に複数本の指が触れていると判定したときは、その指の動く方向へ前記座標入力領域が移動させられる請求項８記載の入力処理装置。
【請求項１０】
前記平面型入力部材は透光性であり、その下側に入力領域を示す操作表示装置が設けられている請求項１ないし９のいずれかに記載の入力処理装置。
【発明の詳細な説明】
【技術分野】
【０００１】
本発明は、キーボード装置と平面型入力部材とを備えた入力処理装置に係り、特に、平面型入力部材による入力領域の設定と変更とを可能とした入力処理装置に関する。
【背景技術】
【０００２】
ノートブック型のパーソナルコンピュータなどに装備されている入力処理装置は、複数のキーを備えたキーボード装置と、キーボード装置よりも手前側に配置された平面型入力部材と、この平面型入力部材の手前側に隣接して配置された少なくとも２つの押釦スイッチを備えている。
【０００３】
平面型入力部材は、四角形状または丸形状などの入力パッドを備えている。平面型入力部材は複数のＸ電極と複数のＹ電極を備えている。接地電位とほぼ同電位である人体の指が入力パッドに接近しまたは接触すると、指と前記Ｘ電極との間および指と前記Ｙ電極との間に静電容量が形成されるために、電極にパルス状の電圧を与えたときの電極間の電圧や電流が変化し、これにより入力パッド上のどの位置に指が触れたかを認識できる。
【０００４】
パーソナルコンピュータにインストールされているドライバーソフトでは、入力パッドの上を指が動いたことを検知したときに、その移動方向と移動速度などに応じて、マウスが操作されたのと同等の信号が生成されて、オペレーティングシステムに与えられる。この信号により、表示画面に表示されたカーソルの移動や、表示されたメニューリストからのメニューの選択などが行われる。
【先行技術文献】
【特許文献】
【０００５】
【特許文献１】特開２００１−１９５１６４号公報８２号公報
【発明の概要】
【発明が解決しようとする課題】
【０００６】
従来のパーソナルコンピュータの入力処理装置は、決められた形状の入力パッドが、キーボード装置の手前側で且つ中央部の決められた位置に固定されている。しかし、操作する人によっては、入力パッドが必ずしも操作しやすい場所に設置されているとは限られず、また、従来の平面型入力部材は、マウスと代替する入力ツールとしてのみ使用されているために、マウスを優先的に使用するユーザにとっては、入力パッドが邪魔に感じることも有りえる。
【０００７】
本発明は上記従来の課題を解決するものであり、キーボード装置と併用される平面型入力部材での入力項目などを自由に設定でき、さらには平面型入力部材で設定される入力パッドの位置の変更も可能とされた入力処理装置を提供することを目的としている。
【課題を解決するための手段】
【０００８】
本発明は、複数の入力キーが配列するキーボード装置と、前記キーボード装置よりも手前側に設けられた平面型入力部材とが設けられた入力処理装置において、
前記平面型入力部材は、その一部が指で操作して座標データを入力する座標入力領域として使用され、他の部分が前記座標データ以外の入力を行う他の入力領域として使用されることを特徴とするものである。
【０００９】
本発明の入力処理装置では、前記平面型入力部材の幅寸法が、前記キーボード装置の幅寸法以上である。
【００１０】
例えば、前記他の入力領域は、指の接触でＯＮ−ＯＦＦを入力するスイッチ入力領域である。または、前記他の入力領域は、指の接触時間に対応した信号を継続して入力する入力領域である。あるいは、前記他の入力領域は、指の移動を検知して、指の移動に対応する信号を入力するスライド入力領域である。
【００１１】
本発明は、前記他の入力領域の形状と大きさならびに位置の設定の変更が可能である。さらに、前記他の入力領域で入力する操作信号の種別の設定と変更とが可能である。
【００１２】
本発明の入力処理装置は、キーボード装置の手前側の幅広い領域に平面型入力部材が設けられている。そのために、その一部のみを座標データを入力する座標入力領域として使用し、他の入力領域を、座標データ以外の入力を行うための入力領域として使用できる。また、座標入力領域と他の入力領域の位置や形状を自由に変更でき、またそれぞれの他の入力領域に割り当てる入力項目の変更も可能である。さらには、座標入力領域の形状や大きさを変えたり、座標入力領域そのものを一時的に無くすことも可能である。
【００１３】
さらに本発明は、複数の入力キーが配列するキーボード装置と、前記キーボード装置よりも手前側に設けられた平面型入力部材とが設けられた入力処理装置において、
前記平面型入力部材は、その一部が指で操作して座標データを入力する座標入力領域として使用され、前記平面型入力部材の検知領域内で、前記座標入力領域の位置を変えることが可能であることを特徴とするものである。
【００１４】
例えば、前記平面型入力部材は、１本の指が触れたか複数本の指が触れたかの識別が可能であり、前記座標入力領域に１本の指が触れていると判定したときは、その指の移動に応じた座標データが生成され、前記座標入力領域の内部またはその近傍に複数本の指が触れていると判定したときは、その指の動く方向へ前記座標入力領域が移動させられる。
【００１５】
上記のように、従来の入力パッドと同様に使用される領域である座標入力領域の位置を自由に変えることで、座標入力領域を、それぞれのユーザが使用しやすい場所に移動させることが可能である。また、１本の指を触れているときに通常の座標入力操作と判定し、複数の指が触れたときに座標入力領域の移動操作と判定することで、１本の指で通常の座標入力を行っているときに、誤って座標入力領域が移動してしまうのを防止できる。
【００１６】
本発明では、座標入力領域を自由に移動させときに、移動した位置で座標入力が可能となる。この場合、１本の指が触れたと判断していないときは座標入力領域での座標検出を行わないように構成することが好ましい。これにより、座標入力領域に手のひらが触れたときの誤操作を防止できる。また、座標入力領域を一時的に無効にすることも可能である。
【００１７】
本発明は、前記平面型入力部材は透光性であり、その下側に入力領域を示す表示装置が設けられているものが好ましい。
【００１８】
前記表示装置が設けられていると、どの位置に座標入力領域が設定されているか、またはどの位置にどのような形状の他の入力領域が設定されているかを表示内容によって目視で理解しやすくなる。
【発明の効果】
【００１９】
本発明は、キーボード装置の手前側に設けられた平面型入力部材によって、座標入力領域や他の入力領域の形状や位置や機能を自由に設定でき、または座標入力領域の設置場所を自由に変更できるため、ユーザが使いやすい入力処理装置を自分で設定することができる。
【図面の簡単な説明】
【００２０】
【図１】本発明の実施の形態の入力処理装置を備えたパーソナルコンピュータの斜視図、
【図２】図１に示した入力処理装置の部分平面図、
【図３】図１に示した入力処理装置の断面図、
【図４】入力処理装置の回路ブロック図、
【図５】画面に表示される入力設定パネルを示す説明図、
【図６】入力処理装置の他の使用状態を示す平面図、
【発明を実施するための最良の形態】
【００２１】
図１に示すノートブック型のパーソナルコンピュータ１は、本体部２と蓋体部３とが折り畳み可能に連結されている。本体部２に入力処理装置１０が搭載されており、蓋体部３に、液晶表示装置６が設けられている。
【００２２】
図１と図２に示すように、本体部２に搭載された入力処理装置１０は、蓋体部３に接近した位置に、複数の入力キーを有するキーボード装置４が配置されている。
【００２３】
キーボード装置４よりも手前側に、平面型入力部材３０が設けられている。図１と図２に示すように、平面型入力部材３０は、本体部２の前縁部２ａとキーボード装置４との間の領域のほぼ全域を占めており、平面型入力部材３０の幅寸法は、キーボード装置４の幅寸法とほぼ同等かまたはそれよりも大きい。なお、本明細書では、平面型入力部材３０の幅寸法が、キーボード装置４の幅寸法の８０％以上であれば、平面型入力部材３０の幅寸法が、キーボード装置４の幅寸法とほぼ同等であると解釈する。
【００２４】
図３は、平面型入力部材３０が設けられている部分での本体部２の部分断面図である。本体部２の表面に現れている表面パネル２ｂは、少なくとも前記平面型入力部材３０を覆う部分が透光性である。平面型入力部材３０は、表面パネル２ｂの下面に密着して設けられており、透光性の樹脂フィルムを主体として構成されている。そして、平面型入力部材３０の下側に操作表示装置７が設けられている。
【００２５】
前記表面パネル２ｂと平面型入力部材３０の透光性は、全光線透過率が９０％以上のようないわゆる透明な状態のみではなく、操作表示装置７から発光される光を表面パネル２ｂの外部から目視できる程度の半透明であってもよい。例えば、平面型入力部材３０を覆っている表面パネル２ｂは、本体部２の他の部分や蓋体部３と同色で且つ光を透過できる半透明の合成樹脂材料で形成される。
【００２６】
操作表示装置７は、平面型入力部材３０に設定される座標入力領域３２や他の入力領域３３，３４の形状と位置を示すものであり、複数の発光ダイオードを有して、予め複数の場所に設定されている前記座標入力領域や他の入力領域のいずれかを選択して照光するもの、またはエレクトロルミネッセンス素子を有して、予め複数の場所に設定されている前記座標入力領域や他の入力領域のいずれかを選択して照光するもの、あるいは、液晶表示パネルとその下側に設けられたバックライト機構を有するものなどである。
【００２７】
平面型入力部材３０は、透光性の樹脂フィルムの表面に、複数のＸ電極と複数のＹ電極とが、絶縁層を挟んで対向しており、また、隣り合うＸ電極の間にそれぞれ検出電極が設けられている。これら電極の表面に薄い絶縁層が設けられており、その絶縁シートの表面が表面パネル２ｂの下面に密着している。前記各電極とそれぞれの絶縁層も透光性である。
【００２８】
図４に示す駆動回路１１により、Ｘ電極に順番にパルス状の電圧が印加され、これとは異なるタイミングでＹ電極に順番にパルス状の電圧が印加される。表面パネル２ｂの表面にほぼ接地電位の導電体である指が触れると、指と電極との間に静電容量が形成される。そのため、Ｘ電極やＹ電極にパルス状の電圧が与えられたときに、表面パネル２ｂに指が触れていると、Ｘ電極と検出電極との間の電圧または電流が変化し、Ｙ電極と検出電極との間の電圧または電流が変化する。この電圧の変化または電流の変化は、検出電極を介して図４に示すパッド検知部１２で検知される。パッド検知部１２で、検出電極から前記電圧の変化または電流の変化を検出したときに、そのときにどのＸ電極やＹ電極に電圧を印加しているかのタイミング情報を得ることで、表面パネル２ｂのどの位置に指が触れているかをＸ−Ｙ座標上で検出できる。
【００２９】
また、平面型入力部材３０が設けられている領域において、表面パネル２ｂに複数本の指を同時に触れると、そのときの検出電極の電圧の変化や電流の変化と、Ｘ電極に電圧を印加するタイミング情報とＹ電極に電圧を印加するタイミング情報により、パッド検知部１２で、複数箇所に指が触れていることを座標データとして認識することができる。さらに、手のひらを平面型入力部材３０に触れさせたときのように、平面型入力部材３０に広い面積の導電体が接近したと検知されたときにも、パッド検知部１２からその接触面積に応じた検知信号が出力される。
【００３０】
図４は、入力処理装置１０の主な構成を示すものであり、平面型入力部材３０およびこれに付随するＩＣ５に設けられた機能部、ならびにパーソナルコンピュータ１の本体部の制御処理部２０に格納された機能部を示すブロック図である。
【００３１】
入力処理装置１０に付随するＩＣ５には、前述のように平面型入力部材３０のＸ電極とＹ電極に順番にパルス状の電圧を与える駆動回路１１と、検出電極の電圧の立ち上がりの変化または電流の変化を検出するパッド検知部１２を有している。パッド検知部１２で、表面パネル２ｂの表面に触れた指の接触位置をＸ−Ｙ座標上で特定できる。
【００３２】
ＩＣ５には、パッド入力信号生成部１３が設けられている。パッド入力信号生成部１３では、パッド検知部１２で検出された平面型入力部材３０の操作信号が、所定のバイト数のフォーマットデータとされて、出力インターフェース１４から出力される。また、キーボード装置４のキー操作信号は、図示しないキーボード入力信号生成部で所定のフォーマットのデータとされて、前記出力インターフェース１４から出力される。
【００３３】
出力インターフェース１４から出力される操作信号は、パーソナルコンピュータの制御処理部２０に設けられた入力インターフェース２１に与えられる。出力インターフェース１４と入力インターフェース２１はＵＳＢインターフェースなどである。
【００３４】
制御処理部２０には、各種ソフトウエアが格納されている。制御処理部２０にはオペレーティングシステム（ＯＳ）２２が格納されている。このオペレーティングシステム２２で表示ドライバー２３が制御されて、蓋体部３に設けられた液晶表示装置６に各種情報が表示される。また、図３に示すように、平面型入力部材３０の下側に設けられた操作表示装置７も、オペレーティングシステム２２によって制御される。
【００３５】
制御処理部２０には、パッド用ドライバーソフト２４がインストールされており、前記入力インターフェース２１で受信した操作信号は、パッド用ドライバーソフト２４に与えられる。パッド用ドライバーソフト２４では、パッド入力信号生成部１３から送られた所定のフォーマットの操作信号に基づいて、外部機器であるマウスの操作信号と同等の座標データ信号が生成されて、オペレーティングシステム２２に通知される。また、キーボード装置４から与えられた操作信号は、パッド用ドライバーソフト２４を経て、または他のドライバーソフトを経てオペレーティングシステム２２に通知される。
【００３６】
パッド用ドライバーソフト２４では、表面パネル２ｂに１本の指が触れて入力動作が行われているか、複数の指が同時に触れて入力動作が行われているか、または手のひらが触れて入力動作が行われているかを判定することができる。パッド用ドライバーソフト２４において、平面型入力部材３０に接近している導電体の面積が所定値以下でその接触部が１箇所であると認識したときに、１本の指による入力動作と判定し、接近している導電体の面積が所定値以下でその接触部が複数箇所であると認識したときに、複数本の指による入力動作であると判定する。さらに、接近している導電体の面積が所定以上であると認識したときに、手のひらが触れた入力動作であると判定する。
【００３７】
さらに、パッド用ドライバーソフト２４では、接近している導電体の面積が所定値以下で、且つ接近していると検知した時間が所定値以下であったらタッピング操作であると判定する。このタッピング操作は、１本の指で行うことと、複数本の指で行うことの双方が可能である。また、１回のタッピング操作が所定時間以内に２回行われたときは、ダブルタッピング操作と判定する。
【００３８】
図４に示すように、制御処理部２０には、各種アプリケーションソフト２５がインストールされている。アプリケーションソフト２５は、ワードプロセッサ、各種計算ソフト、ゲームソフト、通信ソフトなどである。
【００３９】
制御処理部２０には、入力部設定アプリケーションソフト２６が設けられている。入力部設定アプリケーションソフト２６は、キーボード装置４からの操作信号や平面型入力部材３０から与えられた操作信号によって、平面型入力部材３０に各種入力領域を設定し、さらに操作表示装置７が前記入力領域に対応する照光を行うように制御する。
【００４０】
次に、入力処理装置１０の操作方法を説明する。
入力処理装置１０は、平面型入力部材３０が設けられている領域の全域が検知領域３１であり、この検知領域３１において、指などの低電位の導電体が表面パネル２ｂに接触して接近したことを検知することができる。ただし、入力部設定アプリケーションソフト２６によって、図２に示すように検知領域３１の一部が入力領域３２，３３，３４として設定されると、パッド用ドライバーソフト２４では、前記入力領域３２，３３，３４のいずれかの上に指が接近したと検知されたときにのみ操作入力であると判定し、検知領域３１のうちの設定されている入力領域３２，３３，３４以外の部分に指が接近したと検知されたときは、その検知信号が無視される。
【００４１】
図２に示す例では、検知領域３１の左右のほぼ中央部に座標入力領域３２が設定されており、左側の３箇所に釦入力領域３３が設定され、右側にスライド入力領域３４が設定されている。前記釦入力領域３３とスライド入力領域３４は、座標入力領域３２とは異なる入力を行う他の入力領域である。
【００４２】
座標入力領域３２と釦入力領域３３とスライド入力領域３４は、キーボード装置４を操作し、または平面型入力部材３０のいずれかの領域を操作し、入力部設定アプリケーションソフト２６にアクセスすることで行われる。入力設定アプリケーションソフト２６にアクセスすると、オペレーティングシステム２２によって表示ドライバー２３が駆動されて、図５に示すように、液晶表示装置６の表示画面に入力設定パネル３５，３６が表示される。
【００４３】
入力設定パネル３５，３６が表示されているときは、それまでに設定されていた座標入力領域３２が入力設定パネル３５，３６に入力するための操作領域として使用される。あるいは、入力設定パネル３５，３６が表示されているときは、検知領域３１の全域が操作領域として使用されて、検知領域３１のいずれかの箇所を指で操作することで、入力設定パネル３５，３６への入力が行われてもよい。
【００４４】
入力設定パネル３５，３６で指示されている操作を行うことで、例えば、釦入力領域３３に割り当てる操作機能を変更して設定し、スライド入力領域３４に割り当てる操作機能を変更して設定することができる。または、座標入力領域３２の大きさや形状を変更したり、位置を変更することができ、同様に、釦入力領域３３とスライド入力領域３４の大きさや形状を変更したり、位置を変更することができる。さらには、釦入力領域３３とスライド入力領域３４のいずれかを無くしたり、両方の領域を無くしたり、釦入力領域３３とスライド入力領域３４以外の領域を増やすこともできる。または、座標入力領域３２そのものを無くすこともできる。
【００４５】
上記設定は、入力設定パネル３５，３６の指示にしたがって、検知領域３１のうちの入力領域を設定しようとする場所を１本の指または複数本の指でタッピングして位置を確定し、入力設定パネル３５，３６において予め用意されている四角や丸のパターンを選び出し、１本の指の移動や２本の指の移動で前記パターンの大きさを決めて入力領域を設定する。さらに、入力設定パネル３５，３６の指示にしたがって、それぞれの入力領域にどの種別の入力を行う領域であるのかその機能を割り付ける。
【００４６】
さらに、入力設定パネル３５，３６に入力することで、それぞれの入力領域を操作表示装置７で照光させるか否かの選択や、それぞれの入力領域をどのような色相で照光させるかの設定も行われる。
【００４７】
図２に示す入力領域の設定例では、検知領域３１の中央に位置する四角形の座標入力領域３２に１本の指を触れて動かすと、その座標データがパッド検知部１２で検知されパッド入力信号生成部１３で所定のフォーマットのデータとして出力される。パッド用ドライバーソフト２４では、前記座標データに基づいてマウスを操作したときと同等の入力信号が生成されてオペレーティングシステム２２に与えられる。そして、そのときに起動しているアプリケーションに応じて、例えば、液晶表示装置６の画面に表示されているカーソルを動かしたり、メニューの選択を行ったり、文字を手書きしたり、あるいはゲームをコントロールするなどの動作を行わせることができる。また、座標入力領域３２に２本の指を触れて、アプリケーションに入力信号を与えることも可能である。
【００４８】
釦入力領域３３は、１本の指を触れることでＯＮ−ＯＦＦの入力ができるスイッチ入力領域として使用される。あるいは、釦入力領域３３に１本の指が触れている時間に対応した信号が継続して入力される。これにより、例えば、いずれかの釦入力領域３３に指が触れている時間に応じて音量が増加し、他の釦入力領域３３に指が触れている時間に応じて音量が低下する操作ができる。音量の代わりに液晶表示装置６の画面の輝度の調整であってもよいし、指が触れている間に画面が上方向に動き続けまたは下方向へ動き続けてもよい。
【００４９】
右側のスライド入力領域３４に１本の指を触れて前後に移動させると、その座標データがパッド用ドライバーソフト２４で解読されて、例えば、液晶表示装置６の画面に表示されている図形や文字列などを上下に移動させるストローク入力操作を行うことができる。
【００５０】
なお、ユーザがキーボード装置４を両手で操作するときに、手のひらが平面型入力部材３０の検知領域３１の表面に乗せられることが多い。この場合、釦入力領域３３やスライド入力領域３４に手のひらが触れると、入力動作が行われていると誤判断されるおそれがある。そこで、手のひらが乗っていると判断したときには、パッド用ドライバーソフト２４において、釦入力領域３３やスライド入力領域３４を操作した信号を無視することが好ましい。
【００５１】
検知領域３１に手のひらが触れたか否かの判定は次のいずれかである。まず、釦入力領域３３とスライド入力領域３４の所定の割合以上の面積、例えば８０％以上の面積に手が触れていると検知したときに手のひらが乗っていると判断する。または、検知領域３１のうちの座標入力領域３２と釦入力領域３３およびスライド入力領域３４を除いた領域で、指が１本または２本触れたと検知されたときに、パッド用ドライバーソフト２４においてその検知信号を無視し、ただし所定面積以上の手が触れたことを検知したときに、手のひらが乗ったと判断することができる。または、キーボード装置４のいずれかのキーが操作されているときに、釦入力領域３３とスライド入力領域３４からの検知信号を無視してもよい。
【００５２】
次に、前記入力部設定アプリケーションソフト２６の動作によって、既に設定されている座標入力領域３２をその大きさや形状を変えることなく、設定位置を移動させる操作を行うことができる。
【００５３】
その操作は、図５に示す入力設定パネル３５，３６を表示させ、所定の項目を入力して行ってもよい。ただし、図６に示すように、指の操作で座標入力領域３２を簡単に移動させることが可能である。座標入力領域３２に１本の指が触れているときには、その指の動きに応じて、パッド用ドライバーソフト２４ではマウスを操作しているときと同等の信号が生成される。ただし、座標入力領域３２の内部に２本の指が触れたとき、または座標入力領域３２の近くに２本の指が触れ、その直後に２本の指が一緒に動いたときは、パッド用ドライバーソフト２４で、座標入力領域３２を移動させる操作であると認識する。このとき、入力部設定アプリケーションソフト２６にアクセスされて、２本の指の移動した方向へ座標入力領域３２を移動させる処理が行われ、新たな場所に座標入力領域３２が設定される。
【００５４】
または、２本以下の指が座標入力領域３２に触れたときは、座標データを生成し、３本以上の指が触れて移動したと判断したときに、座標入力領域３２が移動してもよい。
【００５５】
また、複数本以上の指で座標入力領域３２の内部またはその近傍でタッピングし、またはダブルタッピングし、その直後に複数本の指を動かすと座標入力領域３２が移動し、さらにタッピングし、またはダブルタッピングすることで座標入力領域３２の移動を決定してもよい。同様にして複数本の指の操作で、釦入力領域３３やスライド入力領域３４などの他の入力領域を移動させてもよい。
【００５６】
また、座標入力領域３２が移動した結果、キーボード装置４を操作する手が座標入力領域３２に触れる可能性があるときには、前述のように座標入力領域３２またはその他の検知領域３１に手のひらが触れたと判断したときに、座標入力領域３２からの入力信号を無視することが好ましい。
【００５７】
図２および図６に示すように、座標入力領域３２や他の入力領域３３，３４の位置や形状や表示状態を自由に変えることで、ユーザが使いやすい入力処理装置１０を構成することが可能である。また、座標入力領域３２を使用しないユーザはこれを削除することも可能である。
【符号の説明】
【００５８】
１  パーソナルコンピュータ
２  本体部
２ｂ  表面パネル
４  キーボード装置
５  ＩＣ
６  液晶表示装置
７  操作表示装置
１２  パッド検知部
１３  パッド入力信号生成部
２２  オペレーティングシステム
２４  パッド用ドライバーソフト
２６  入力部設定アプリケーションソフト
３０  平面型入力部材
３１  検知領域
３２  座標入力領域
３３  釦入力領域
３４  スライド入力領域
【図１】
2010257198.tif 000003
【図２】
2010257198.tif 000004
【図３】
2010257198.tif 000005
【図４】
2010257198.tif 000006
【図５】
2010257198.tif 000007
【図６】
2010257198.tif 000008